(57)【特許請求の範囲】
【請求項１】
三脚の上部を収納する第一袋と、三脚の下部を収納する第二袋と、第一袋と第二袋とをつなぐ伸縮自在なベルトとを有し、上記第一袋、第二袋が共に巾着タイプの袋で、上記ベルトに巾着の紐の締付具を設け、上記第一袋、第二袋がベルトから離れる方向に引っ張られたとき、上記締付具により紐が袋の口を締めるようにしたことを特徴とする三脚収納袋。
【発明の詳細な説明】
【０００１】
【発明が属する技術分野】
本発明は、カメラ等を取り付ける三脚を収容する三脚収納袋に関する。
【０００２】
【従来の技術】
図４に折り畳んだ状態のカメラの三脚を示す。同図に示すように三脚１０は、複数段の伸縮する３本の脚１１を有する。そして、三脚１０の上部には雲台１２を取り付けている。各脚１１は、各段の下端に締付ネジ１３，１４，１５を有し、これらを緩めることで次の段の出し入れがフリーになり、締め付けることで任意の位置に固定できるようになっている。
【０００３】
撮影時には、各脚１１を適当な長さに延ばして拡げ、地上に自立させ、雲台１２に図示しないカメラをねじ止めし、雲台のハンドル１６を緩めてカメラを所望の方向に向け、方向が決まったらハンドル１６を締め付けてカメラを固定して撮影する。
【０００４】
三脚１０を携帯する時には、全部の脚１１を図４に示すように、最も短い状態に縮め、三本の脚１１をほぼ平行に折り畳み、雲台１２からカメラを外して持ち運ぶ。このとき、三脚１０を露出したままで持ち歩くと、雲台１２には複雑な突起部があり、脚１１にも締付ねじ１３，１４，１５や脚１１の先端等の突起部があるので、これらの突起部が他人にぶつかったり、器物にぶつかって損傷したり、させたりするおそれがある。
【０００５】
そこで、三脚１０に雲台１２を取り付けたものをバッグ等の収納袋に収納して持ち運ぶことが行われている。通常、このような収納袋は、各三脚のメーカが自社の製品の寸法に合わせて作っている。この収納袋は、１つの三脚に標準的な雲台が取り付けられたものを収納するようになっている。
【０００６】
【発明が解決しようとする課題】
しかし、三脚や雲台は、多様なものがあり、それぞれが機能に特徴を有しているので、撮影の目的によっては、それぞれのメーカの三脚と雲台とを種々に組み合わせて使用することが多い。すると、組み合わせによっては、上記の収納袋には収納し切れないことが頻繁に起こる。
【０００７】
収納袋を大きくして余裕を持たせておけば良さそうに思えるが、そうすると、持ち運んでいるときに、三脚が収納袋の中で踊ってしまい、持ち運びがしにくくなるし、袋や三脚を損傷させ易い。
【０００８】
また、この収納袋は、三脚を使用しているときは不要になるので、三脚を設置している地上に置くことが多いが、地面が雨で濡れていたり、風が強かったりすると、置くことができず、処置に困る。
【０００９】
このようなことから、図４に示すように折り畳んだ状態の三脚１０の上下を脚１１の部分で別々の紐やベルトで縛り、これらの紐やベルトをバンドでつないだ三脚用ショルダーバンドや、両端に締め付け紐を備えたバンドで、三脚や雲台の突起部分のくびれ部に上記の締め付け紐を引っかけて使用するトライポットバンド等が市販されている。これならば、三脚の大きさや雲台の大きさに関係なく使用することができ、携帯時には、バンドを肩に掛けて持ち運ぶことができる。また、小さいので、不要なときは、肩や首に掛けたり、ポケットにしまっておくことも可能である。
【００１０】
しかしながら、上記の三脚用ショルダーバンドやトライポットバンドは、雲台部分や三脚の下部のねじの部分が露出したまま携帯するので、他人にぶつけたり、物にぶつけて破損するおそれについては、何等解決していない。
【００１１】
また、三脚用ショルダーバンドやトライポットバンドは、携帯時の振動等で紐やバンドが弛むことがあり、三脚が脱落するおそれがある。
【００１２】
本発明は、このような事実から考えられたもので、多様な三脚と雲台の組み合わせに使用可能な三脚収納袋を提供することを目的としている。
【００１３】
【課題を解決するための手段】
上記の目的を達成するために本発明の三脚収納袋は、三脚の上部を収納する第一袋と、三脚の下部を収納する第二袋と、第一袋と第二袋とをつなぐ伸縮自在なベルトとを有することを特徴としている。
【００１４】
上記第一袋、第二袋が共に巾着タイプの袋で、上記ベルトに巾着の紐の締付具を設け、上記第一袋、第二袋がベルトから離れる方向に引っ張られたとき、上記締付具により紐が袋の口を締めるようにすることができる。
【００１５】
【発明の実施の形態】
以下に本発明の実施例を図面によって説明する。
図１は、本発明の三脚収納袋を示す斜視図である。同図に示すように本発明の三脚収納袋１は、第一袋２と第二袋３とをベルト４の両端に接続したものである。ベルト４にはバックル４ａがあり、これによってベルト４の長さを自由に変更することができる。
【００１６】
第一袋２と第二袋３とは、共に同じ素材で、布、合成樹脂、皮等多様な素材を用いることができる。これらの袋は、口の部分を折り返して環状の筒を作って紐通し部２ａ，３ａとし、ここに紐５，５を通している。そして、紐５，５を引っ張ると袋の口が閉じる、いわゆる巾着タイプである。これらの紐５，５は、ベルト４の両端に取り付けられた締付具６，６に挿通されている。
なお、締付具６，６を用いずに、単純に紐５，５を縛ってもよい。
【００１７】
図２は、図１における第一袋２とベルト４の一端部を拡大した図である。締付具６，６には、長穴６ａがあり、この中に可動子６ｂがある。可動子６ｂが長穴６ａ内を移動してベルト４の先端側（図２の上側）に行くと、紐５は締付具６から抜け出ることが出来なくなる。可動子６ｂが長穴６ａ内を移動して反対側（図２の下側）に行くと、紐５は締付具６から抜け出ることができる。すなわち、第一袋２を矢印ａに示すベルトから離れる方向に引っ張ると、可動子６ｂが長穴６ａ内を図の上側に移動し、紐５が締付具６から抜け出るのを阻止するようになっている。同時に紐５は第一袋２の口を締める。逆に紐５の５ａの部分を矢印ｂ方向に引っ張ると、可動子６ｂは図２の下側に移動して紐５は図２の上下方向のどちらにも移動できるようになる。この状態のとき、第一袋２の口を開くことができるので、三脚１０に着脱できる。
【００１８】
ベルト４の反対側の第二袋３の方も同じ構造で、第二袋３をベルト４から離れる方向に引っ張ると、締付具６は紐５が抜け出るのを阻止し、紐５は第二袋３の口を閉じるように作用する。
【００１９】
図３は本発明の三脚収納袋１を使用した状態を示す斜視図である。第一袋２で雲台１２と三脚１０の上部の突起部を包んでいる。第二袋３は、三脚１０下部の締付ねじ１３，１４，１５や脚１１の先端部等の突起部を包んでいる。この後、第一袋２と第二袋３の紐５，５を締付具６の反対側の５ａ，５ａ部分で引っ張ると、袋の口が締まる。これによって、三脚１０は両端の突起のある部分が袋で収容され、脚１１の中間の突起のない部分だけが露出する。この状態でバックル４ａでベルト４の長さを使用者の好みの長さに調整し、肩に掛けて持ち運ぶ。三脚１０と雲台１２の重さにより、第一袋２と第二袋３は、ベルト４から離れる方向に引っ張られるが、前述したように締付具６の可動子６ｂがベルト４の先端方向に移動して紐５，５が締付具６，６から出るのを阻止するので、紐５，５は袋の口が締まる方向に引っ張られ、三脚１０から外れることはない。また、従来は三脚と雲台の組合せごとに異なった大きさの三脚収容袋が必要であった。これに対し、本発明では、第一袋２は主として雲台１２を収納できればよく、第二袋３は三脚１０の主として締付ねじ１３，１４，１５から下の部分を収納できればよい。したがって、１つの三脚収納袋で多様な三脚と雲台の組み合わせに利用することができる。
【００２０】
撮影時には、三脚収納袋１を外すが、長いベルト４の両端に第一袋２と第二袋３がある構造なので、撮影者の肩に掛けておくなどによって、置き場に困ることもない。
【００２１】
なお、上記実施例では、第一袋２、第二袋３を巾着タイプの袋として説明したが、巾着タイプに限定されるものではない。また、第一袋、第二袋のように「袋」と称しているが、これらの袋は、三脚の上部と下部をそれぞれ覆うことができる形態のものであればよく、ケースなども含まれるものである。
【００２２】
【発明の効果】
以上に説明したように、本発明の三脚収納袋は、三脚の上部を収納する第一袋と、三脚の下部を収納する第二袋と、第一袋と第二袋とをつなぐ伸縮自在なベルトとを有する構成としたので、１つの三脚収納袋で多様な三脚と雲台の組み合わせに適用することができる。
【００２３】
また、上記第一袋、第二袋が共に巾着タイプの袋で、上記ベルトに巾着の紐の締付具を設け、上記第一袋、第二袋がベルトから離れる方向に引っ張られたとき、上記締付具により紐が袋の口を締めるようにすれば、携帯時に袋が三脚から外れることを防止することが出来る。
【図面の簡単な説明】
【図１】本発明の三脚収納袋を示す斜視図である。
【図２】図１における第一袋とベルトの一端部を拡大した図である。
【図３】本発明の三脚収納袋を使用した状態を示す斜視図である。
【図４】折り畳んだ状態のカメラの三脚を示す斜視図である。
【符号の説明】
１    三脚収納袋
２    第一袋
３    第二袋
４    ベルト
５    紐
６    締付具
１０  三脚
１１  脚
１２  雲台
【図１】
0003721138.tif 000002
【図２】
0003721138.tif 000003
【図３】
0003721138.tif 000004
【図４】
0003721138.tif 000005